(57)【要約】【課題】  量売品に値引率を設定して購入希望金額のすべてを使い切ることを可能とする。【解決手段】  価格演算部２５は、予め購入希望金額と量売品の税抜き価格からの値引率との設定を受けた際に、まず、購入希望金額から所定の税率をもって税抜き価格を演算し、この税抜き価格から値引き額を演算する。次いで、この演算結果の値引き額が所定値を越える場合にはこの値引き額を次の購入希望金額とし、これから次の税抜き価格を、更にこれから次の値引き額を演算して次の購入希望金額とする手順を繰り返す。次いで、この演算結果の値引き額が無視可能な小額以下、例えば小数点以下で四捨五入して「ゼロ」の金額となった際に、最初に設定した購入希望金額を税込みの購入金額とする。【選択図】  図１
2005222196.tif 000002
【特許請求の範囲】
【請求項１】
量売品に値引率を設定して金券の額面金額を精算する方法において、予め購入希望金額と値引率とを設定し、前記購入希望金額から所定の税率により最初の税抜き価格を演算し、この最初の税抜き価格から最初の値引き額を演算し、この演算結果の最初の値引き額が無視可能な小額値を越える場合にはこの最初の値引き額を次の購入希望金額としてから次の税抜き価格を演算し、次の税抜き価格から次の値引き額を演算して次の購入希望金額とする手順を順次繰り返して、この演算結果の値引き額が上記無視可能な小額値に達した際に、前記購入希望金額を税込みの購入金額として提示することを特徴とする値引率設定による金券の精算方法。
【請求項２】
請求項１に記載の値引率設定による金券の精算方法において、前記購入金額と前記所定の税率とから量売品の値引きされた販売価格を演算し、かつ前記演算で求めた値引き額それぞれの総和を値引き総額として求め、この値引き総額と前記販売価格との和を演算して定価分量売価格を求め、画面表示を含み外部表示することを特徴とする値引率設定による金券の精算方法。
【請求項３】
量売品に値引率を設定した際に金券の額面金額を精算するシステムにおいて、購入希望金額および値引率を入力するデータ入力部と、所定の税率を予め保存する税率格納部と、前記金券を収納する金券収納部と、収納された金券にアクセスして記録情報を読み取り書き込むデータ読書部と、前記データ入力部から購入希望金額および値引率、並びに税率格納部から税率それぞれを受け、受けた前記購入希望金額および税率から最初の税抜き価格を演算し、この最初の税抜き価格および前記値引率からこの最初の税抜き価格に対する最初の値引き額を演算し、この最初の値引き額が無視可能な小額値を越える場合にはこの最初の値引き額を次の購入希望金額とし前記税率を適用して次の税抜き価格を演算し、この次の税抜き価格およびその次の値引き額を順次繰り返して演算し、この演算結果の値引き額が無視可能な小額以下となった際に、前記購入希望金額を税込みの購入金額として出力する価格演算部とを備えることを特徴とする値引率設定による金券の精算システム。
【請求項４】
請求項３に記載の値引率設定による金券の精算システムにおいて、前記無視可能な小額は小数点以下で四捨五入して「ゼロ」の額であることを特徴とする値引率設定による金券の精算システム。
【請求項５】
請求項３に記載の値引率設定による金券の精算システムにおいて、前記金券は額面を有するカードであり、前記価格演算部は、前記カードで、額面金額から前記購入金額を差し引いた金額を、前記データ読書部を介して新額面金額に更新することを特徴とする値引率設定による金券の精算システム。
【請求項６】
請求項３に記載の値引率設定による金券の精算システムにおいて、前記価格演算部は、前記購入金額と前記所定の税率とから量売品の値引きされた販売価格を求め、かつ演算で求めた値引き額それぞれの総和を値引き総額として演算し、この値引き総額と前記販売価格との和を演算して定価分量売価格を求め、この定価分量売価格を画面表示を含み外部表示することを特徴とする値引率設定による金券の精算システム。
【請求項７】
請求項６に記載の値引率設定による金券の精算システムにおいて、量売品を量り売りする量売機と、前記価格演算部から前記定価分量売価格を受けて販売量に換算し量売機に通知すると共に起動を指示する販売量換算部と、前記価格演算部から購入金額を受け、前記量売機から運転停止と共に通知販売量に対する残量を受けた際には、この残量を購入金額に適用してその残高を逆算し、画面表示を含み前記残高を更新する残高更新部とを更に備えることを特徴とする値引率設定による金券の精算システム。
【請求項８】
請求項７に記載の値引率設定による金券の精算システムにおいて、前記金券がカードであり、前記残高更新部は、前記データ読書部に残高の更新を指示して前記カードの額面金額を更新させることを特徴とする値引率設定による金券の精算システム。
【発明の詳細な説明】
【技術分野】
【０００１】
本発明は、プリペイドカードまたはポイントカードのような書替え可能な金券で値引きされる例えば、液体、穀類、調味料など、量売品を購入する際、金券に記録された額面金額の全額を容易に使い切ることができる金券の精算方法およびそのシステムに関するものである。
【背景技術】
【０００２】
従来の値引率設定による金券の精算方法およびそのシステムは、金券に記録されている金額の範囲内でしか買い物ができない。
【０００３】
例えば図５に示される金券は額面が５０００円のプリペイドカード１である。データ処理装置１０２では、プリペイドカード１がカード装着部１２３に装着された際に、プリペイドカード１からデータ読書部１２４が記録された金額を読取りデータ表示部１２６に文字表示すると共に価格演算部１２５に知らせる。
【０００４】
価格演算部１２５が、額面金額５０００円に対して、例えば消費税５％のみの税金が量売価格にかかる量売品で、消費税抜きの表示定価から５％の値引きをする場合の量売価格の演算について図５に図６を併せ参照して説明する。ここで、量り売りの物量はこの定価分量売価格で決定するものであり、価格演算部１２５は店頭表示される定価分の量売価格を出力するものとする。また、プリペイドカード１の額面金額は５０００円であり、値引率は５％であるものとする。また、価格演算部１２５は、装着されたプリペイドカード１から額面の限度額５０００円を既に読み取っているものとする。
【０００５】
まず、販売価格演算部１２５は、データ入力部１２１から購入希望金額５０００円と値引率５％との入力（手順Ｓ１０１）を受ける。入力金額が限度額５０００を越えていないので、購入希望金額５０００円から消費税（５％）抜きの金額（５０００÷１．０５＝）４７６２円（四捨五入）を演算（手順S１０２）し、処理を単純化するため、これを量り売りのために定価分の量売価格として出力する。
【０００６】
次いで、この定価分量売価格の５％に相当する（４７６２円×０．０５＝）２３８円が値引き額として演算（手順S１０３）される。従って、差額の（４７６２円−２３８円＝）４５２４円が値引き後の販売価格として演算（手順S１０４）される。この手順Ｓ１０３、Ｓ１０４は値引き後の販売価格が先に演算されてもよい。
【０００７】
販売価格演算部１２５は、この販売価格に消費税を加えた（４５２４円×１．０５＝）４７５０円を購入金額に決定（手順S１０５）する。この結果、プリペイドカード１の残額は、２５０円と演算され、データ表示部１２６に表示されると共にデータ読書部１２４を介して記録が更新（手順S１０６）される。
【０００８】
上述した金券の精算方法およびそのシステムでは、簡易な手段として金券の額面金額の範囲内で値引き精算するので、残額が必ず生じ、額面金額を購入金額にすること、すなわち額面金額の全てを一度で使いきることが困難であるという欠点があった。
【発明の開示】
【発明が解決しようとする課題】
【０００９】
解決しようとする課題は、値引きをする場合でも、金券の全額面を簡単に使いきることができないことである。
【課題を解決するための手段】
【００１０】
本発明は、量売品に値引率を設定して購入希望金額のすべてを使い切るため、予め購入希望金額と量売品の税抜き価格からの値引率を設定し、まず、最初の購入希望金額から所定の税率をもって最初の税抜き価格を演算し、この税抜き価格から最初の値引き額を演算する。次いで、この演算結果の最初の値引き額が無視可能な小額値を越える場合にはこの最初の値引き額を次の購入希望金額としてこの購入希望金額から次の税抜き価格を演算し、この次の税抜き価格から次の値引き額を演算する手順を繰り返す。次いで、この演算結果の値引き額が無視可能な小額以下、例えば小数点以下で四捨五入して「ゼロ」の金額となった際に、前記購入希望金額を税込みの購入金額とすることを主要な特徴とする。
【００１１】
また、上記税込みの購入金額と所定の税率とから求めた上記最初の税抜き価格は量売品の販売価格となるので、演算で求めた値引き額それぞれの総和を保存合算値引き総額として求め、この値引き総額と前記販売価格との和を演算して定価分量売価格を求め、画面表示を含み外部表示することを特徴としている。
【００１２】
具体的な構成では、本発明によるシステムは、データ処理装置に、購入希望金額および値引率を入力するデータ入力部と、所定の税率を予め保存する税率格納部と、前記金券を収納する金券収納部と、装着されたカードにアクセスして記録情報を読み書きするデータ読書部と、価格演算部と、価格演算部からデータを受けて画面表示するデータ表示部とを備えている。
【００１３】
特徴を有する価格演算部は、前記データ入力部から最初の購入希望金額および値引率、並びに税率格納部から税率それぞれを受け、受けた最初の購入希望金額の最初の税抜き価格を税率から演算し、この最初の税抜き価格の最初の値引き額を前記値引率から演算し、この演算結果の値引き額が所定値を越える場合にはこの最初の値引き額を次の購入希望金額とし、この購入希望金額および前記税率から次の税抜き価格を演算し、この次の税抜き価格の次の値引き額を前記値引率から順次繰り返して演算し、この演算結果の値引き額が無視可能な小額、例えば小数点以下で四捨五入して「ゼロ」となった際に、前記購入希望金額を税込みの購入金額として画面表示を含み外部出力している。
【００１４】
この構成により、最初に購入希望金額として設定した額の全額を税込みの購入金額にすることができる。すなわち、金券の額面を購入希望金額とした場合、額面金額のすべてを使い切ることができる。
【００１５】
また、前記金券が額面を有するカードの場合、前記価格演算部は、前記カードで、額面金額から前記購入金額を差し引いた金額を、前記データ読書部を介して新額面金額に更新できる。金券が通貨の場合、釣り銭処理ができる。
【００１６】
また、上記価格演算部は、前記購入金額と前記所定の税率とから求めた最初の税抜き価格が量売品の値引き後の販売価格であるので、演算で求めた値引き額それぞれの総和を値引き総額として求め、この値引き総額と前記販売価格との和を演算して定価分量売価格を求め、画面表示を含み外部出力することができる。
【００１７】
この定価分量売価格により、顧客に対して購入金額に対応する定価購入の場合の税抜き金額を知ることができると共に、量売品の計量値変換が容易である。
【００１８】
また、本発明によるシステムは更に、量売品を量り売りする量売機と、前記価格演算部から前記定価分量売価格を受けて販売量に換算し量売機に通知すると共に起動を指示する販売量換算部と、前記価格演算部から購入金額、値引率、および金券の額面金額を受け、前記量売機から運転停止と共に通知販売量に対する残量を受けた際には、この残量を購入金額に適用してその残高を逆算し、画面表示を含み前記残高を外部出力する残高更新部とを更に備えることが望ましい。また、前記金券がカードの場合には、前記残高更新部は、前記データ読書部に残高の更新を指示して前記カードの額面金額を更新させることができる。
【００１９】
この構成により、例えばガソリンスタンドでの給油で、購入希望金額に見合うガソリン量を給油中にガソリンタンクが満杯で給油停止した際の金券の更新処理が可能である。
【発明の効果】
【００２０】
本発明の値引率設定による金券の精算方法およびそのシステムは、最初に購入希望金額と税率とから最初の税抜き価格を求め、この最初の税抜き価格から最初の値引き額を求め、この最初の値引き額が購入可能な金額の場合には、この最初の値引き額を次の購入希望金額として次の税抜き価格と次の値引き額とを求め、これを値引き額が「ゼロ」になるまで上記演算を繰り返している。このようにして、値引き額が「ゼロ」となった際に、最初に購入希望金額として設定した額を税込みの購入金額にすることができる。すなわち、金券の額面を購入希望金額とした場合、額面金額のすべてを使い切ることができるという効果が生じる。
【発明を実施するための最良の形態】
【００２１】
金券の額面を購入希望金額として値引きされる量売品を購入する際に、額面金額をすべて使い切るという目的を、購入希望金額から求めた税抜き価格を所定の値引率で演算して値引き額を求め、この値引き額を購入希望金額としてこの値引き額の税抜き価格およびその値引き額を次の税抜き価格およびその次の値引き額として求める。この手順を繰り返して演算された値引き額を「ゼロ」とすることにより、最初の購入希望金額をそのまま税込みの購入金額にするものである。
【００２２】
すなわち、最初の購入希望金額を金券の額面金額とした場合、額面金額をすべて使い切るという上記目的が達成される。更に、その手順では、値引率に従って演算するので、定価に対する値引率を容易に変更できるものである。また、値引率および税率から値引き分および税金分が演算可能であり、決定された購入金額から販売価格として値引きされた金額、また量売品を計量するための定価分量売価格それぞれを求めることができる。
【００２３】
以下に図面を参照して、本発明の詳細を説明するが、一部の用語を纏めて定義しておく。金券は例えば通貨でもポイントカードでもよい。残額が生じた場合、通貨であれば釣り銭で対応し、またプリペイドカードであれば額面の書替えで対応できる。購入希望金額または購入金額は量売品を購入する顧客の支払い対象となる金額である。実際に顧客により支払われる購入金額は、量売品の対価である販売価格とこの販売価格に対する税額との和である。税額は販売価格に対する税率で決まる。量売品の価格には、計量単位に基づき店頭表示または量売機に設定される定価と値引率により値引きされた後の販売単価とがある。従って、値引きされた後の販売価格が演算されても量売機の計量のために定価分の量売価格を求める必要がある。
【００２４】
従って、量売店では量売品の定価が表示され、量売機は定価による金額を換算して量売品を計量するものとする。すなわち、値引きした場合も、販売量は値引き前の定価により換算が必要である。この価格が定価分量売価格である。
【００２５】
税額が消費税のように販売価格に対するパーセンテージであればよいが、ガソリン税のように販売価格に商品価格とガソリン税とが含まれる場合、商品分価格と税分価格それぞれに分割して演算することとなる。
【実施例１】
【００２６】
本発明の実施例１について図１を参照して説明する。
【００２７】
図示される構成では、金券としてのプリペイドカード１と、購入金額および定価分量売価格を演算するデータ処理装置２とが示されている。データ処理装置２は、データ入力部２１、消費税率格納部２２、金券収納部２３、データ読書部２４、価格演算部２５、およびデータ表示部２６を備えている。
【００２８】
データ入力部２１は入力された購入希望金額および値引率を価格演算部２５へ送る。消費税率格納部２２は消費税率を予め保存し価格演算部２５へ提供する。金券収納部２３は金券であるプリペイドカード１を収納する。データ読書部２４は収納されたプリペイドカード１にアクセスして記録情報を読み書きする。データ表示部２６は価格演算部２５で演算された金額、価格など所定の情報を受けて画面表示する。
【００２９】
価格演算部２５は、本発明の特徴を有するもので、詳細は図１に図２を併せ参照して次に説明する。
【００３０】
図２は価格演算部２５における主要動作手順の実施の一形態を示す図である。演算は四捨五入とする。
【００３１】
まず、価格演算部２５はデータ入力部２１から購入希望金額（例えば５０００円）および値引率（５％）と、消費税率格納部２２から消費税率（５％）それぞれの入力（手順Ｓ１）を受け、受けた購入希望金額の消費税抜き価格４７６２円を税率から（５０００円×１００／１０５＝により）演算（手順Ｓ２）し、この税抜き価格の値引き額２３８円を前記値引率から（４７６２円×５／１００＝により）演算（手順Ｓ３）する。
【００３２】
この演算結果の値引き額２３８円を所定値以下の無視できる小額と比較（手順Ｓ４）する。ここで所定値以下の値を、小数点以下で四捨五入した際に「ゼロ」となる値とする。
【００３３】
値引き額２３８円は手順Ｓ４が「ＮＯ」で所定値以下に達しない場合であり、この演算結果値引き額２３８円を次の購入希望金額とした場合の税抜き価格を、次の税抜き価格２２７円として（２３８円×１００／１０５＝により）演算（手順Ｓ５）する。次いで上記同様、この次の税抜き価格の次の値引き額１１円が前記値引率から（２２７円×５／１００＝により）演算（手順Ｓ６）され、先に求めた値引き額２３８円に加えられた合算値引き総額（２３８円＋１１円＝）２４９円として合算保存（手順Ｓ７）される。
【００３４】
次いで、手順Ｓ４に戻り手順を繰り返す。すなわち、手順Ｓ６における演算結果の値引き額１１円が「ゼロ」でないので上記手順Ｓ５乃至Ｓ７により再度、次の値引き額「１」円、および次の値引き額「０」が順次演算されると共に、値引き額が合算されて合算値引き額２５０円が保存される。
【００３５】
手順Ｓ６での演算結果値引き額が「ゼロ円」となり、手順Ｓ４が「ＹＥＳ」となった際には、先に入力された購入希望金額５０００円を税込み購入金額５０００円に設定し、データ表示部２６に文字表示（手順Ｓ１０）して外部に知らせている。
【００３６】
更に、価格演算部２５は、最初の消費税抜き販売価格４７６２円を、税込み購入金額５０００円と消費税率５％とから上記手順Ｓ２で既に有しており、この４７６２円に保存されている合算値引き総額２５０円を加算して定価分量売価格５０１２円を演算（手順Ｓ１１）する。
【００３７】
従って、価格演算部２５は、この定価分量売価格５０１２円をデータ表示部２６に画面表示して値引き前の税抜き定価で５０１２円分を販売、または顧客は購入したことをすると共に外部の例えば量売機へ計量のために出力（手順Ｓ１２）する。
【００３８】
この結果、上記手順Ｓ４から手順Ｓ７までの繰り返しにより、購入希望金額５０００円のすべてを購入金額に充当できる。従って、金券のすべてを購入希望金額とすれば、その額面金額のすべてを使い切ることができる。金券の一部を購入希望金額とした場合には、額面から決定した購入金額を差し引いた残額を残高としてデータ読書部２４に通知し、プリペイドカード１の額面を残高に更新する。
【００３９】
また、上記手順Ｓ１０で、業者が顧客から支払いを受ける税込みの購入金額５０００円の表示を顧客と共に確認できる。また、上記手順Ｓ１３で、この商売において業者が計量する定価分の金額であると共に、顧客が購入した量売品の定価分金額を、定価分量売価格５０１２円により示すことができる。
【００４０】
上記説明では消費税を外税による演算式で説明したが、内税の場合には内税の演算式により演算可能である。
【実施例２】
【００４１】
本発明の実施例２について図３および図４を併せ参照して説明する。
【００４２】
図３で示されるデータ処理装置３は、ガソリンスタンドに備えられ、給油のための量売機（図示省略）に接続されているものとする。また、ガソリン価格はリッター当たりガソリン税分５６円と税抜き商品価格４４円とで「１００円」であり、更にこの価格に消費税５％が加算されるものである。また、値引きは、各種の税金分を除く販売価格にかけるものとする。
【００４３】
図示されるデータ処理装置３は、データ入力部３１、消費税率格納部３２、金券収納部３３、データ読書部３４、価格演算部３５、データ表示部３６、石油税等格納部３７、販売量換算部３８、および残高更新部３９を備えている。データ入力部３１、消費税率格納部３２、金券収納部３３、データ読書部３４、およびデータ表示部３６は、図１に示される同一名称の構成要素とその機能は同様であるのでその説明は省略する。
【００４４】
価格演算部３５については、図４のフローチャートを併せ参照して後に説明する。石油税等格納部３７は上述したガソリン税が格納されているものとする。販売量換算部３８は上述した定価分量売価格を量売品のガソリンの販売量に変換して、量売機を起動すると共に変換した販売量を通知している。残高更新部３９は、量売機が販売量の計量を終了、またはガソリンタンクが満タンにより給油を停止した際に停止通知と共に起動時に通知した販売量に対する残量の通知を受け、残量に相当する金額を逆算して残高を演算しデータ読書部３４に通知する。
【００４５】
次に、図３に図４のフローチャートを併せ参照して実施例２の価格演算部３５を中心とした主要動作手順について説明する。図示される手順Ｓ１から手順Ｓ７まで及び手順Ｓ１０から手順Ｓ１３までは、上記実施例１の説明で番号符号の２０番台を３０番台に読み替えるのみでよいが、ガソリン税分の処理があるので、その処理を繰り返して説明する。上述したように、１００円単位の消費税抜きの価格のため、消費税抜きの販売価格の５６％がガソリン税であり、残りの４４％のみが商品価格（ガソリン価格）である。また、値引率を税抜き価格の５％とする。また、演算は四捨五入とする。
【００４６】
まず、価格演算部３５はデータ入力部３１から購入希望金額（例えば５０００円）および値引率（５％）、消費税率格納部３２から消費税率（５％）、かつ石油等格納部３７からガソリン税（１００円のうち５６円）それぞれの入力（手順Ｓ１）を受け、受けた購入希望金額の税抜き価格２０９５円を税率から（５０００円×４４／１０５＝により）演算（手順Ｓ２）し、この税抜き価格の値引き額１０５円を前記値引率から（２０９５円×５／１００＝により）演算（手順Ｓ３）する。
【００４７】
この演算結果の値引き額１０５円を所定値以下の無視できる小額と比較（手順Ｓ４）する。ここで所定値以下の値を、小数点以下で四捨五入した際に「ゼロ」となる値とする。
【００４８】
値引き額１０５円は手順Ｓ４が「ＮＯ」で所定値以下に達しない場合であり、この演算結果値引き額１０５円を次の購入希望金額とした場合の税抜き価格を、次の税抜き価格４４円として（１０５円×４４／１０５＝により）演算（手順Ｓ５）する。次いで上記同様、この次の税抜き価格の次の値引き額２円が前記値引率から（４４円×５／１００＝により）演算（手順Ｓ６）され、先に求めた値引き額１０５円に加えられた合算値引き総額（１０５円＋２円＝）１０７円として合算保存（手順Ｓ７）される。
【００４９】
次いで、手順Ｓ４に戻り手順を繰り返す。すなわち、手順Ｓ６における演算結果の値引き額２円が「ゼロ」でないので上記手順Ｓ５乃至Ｓ７により再度演算され、次の値引き額「０」が演算される。
【００５０】
従って、手順Ｓ６での演算結果値引き額が「ゼロ円」となり、手順Ｓ４が「ＹＥＳ」となったので、先に入力された購入希望金額５０００円を税込み購入金額５０００円に設定し、データ表示部３６に文字表示（手順Ｓ１０）して外部に知らせている。
【００５１】
更に、価格演算部３５は、購入金額５０００円として上記手順Ｓ２で演算された最初の税抜き販売価格２０９５円は値引き後の税抜き販売価格であり、これに保存された合算値引き総額１０７円を加算して値引き前の定価分量売価格２２０２円を演算（手順Ｓ１１）る。
【００５２】
今回の演算では、価格演算部２５は、この定価分量売価格２２０２円をデータ表示部２６に画面表示して値引き前の税抜き定価で２２０２円分を販売、または顧客は購入したことをすると共に外部の例えば量売機へ計量のために出力（手順Ｓ１２）する。
【００５３】
この結果、上記手順Ｓ４から手順Ｓ７までの繰り返しにより、購入希望金額５０００円のすべてを購入金額に充当できる。従って、金券のすべてを購入希望金額とすれば、その額面金額のすべてを使い切ることができる。金券の一部を購入希望金額とした場合には、額面から決定した購入金額を差し引いた残額を残高としてデータ読書部２４に通知し、プリペイドカード１の額面を残高に更新する。
【００５４】
また、上記手順Ｓ１０で、業者が顧客から支払いを受ける税込みの購入金額５０００円の表示を顧客と共に確認できる。また、上記手順Ｓ１２で、この商売において業者が計量する定価分の金額であると共に、顧客が購入した量売品の定価分金額を、定価分量売価格２２０２円により示すことができる。
【００５５】
通常、ガソリンスタンドでは定価として商品価格にガソリン税を加えて表示するので、顧客への表示は消費税抜きの定価であることが望ましい。
【００５６】
上記説明では消費税を外税による演算式で説明したが、内税の場合には内税の演算式により演算可能である。
【００５７】
手順Ｓ１２で、価格演算部３５から出力される定価分量売価格は販売量検算部３８に送られる。販売量検算部３８は、受けた定価分量売価格で予め設定された例えばリッター当たりの定価から販売量を演算して量売機を起動（手順Ｓ１３）すると共に演算された販売量を通知する。
【００５８】
一方、残高更新部３９は、量売機から停止の通知と共に通知された販売量に対する残量の通知（手順Ｓ１４）を受ける。定価分量売価格による販売量の供給が終了の場合は、残量は「ゼロ」である。したがって購入金額と額面金額とから残高を演算してデータ読書部３４を介してプリペイドカード１の額面を更新（手順１５）する。プリペイドカード１の額面を購入金額として使い切った場合には額面「ゼロ」となる。
【００５９】
また、上記手順Ｓ１５で、ガソリン給油でタンクが満杯により停止した場合、量売機から残量が通知されるので、残量分の定価分量売価格から値引率により値引き価格に逆算して残高演算し、データ読書部３４を介してプリペイドカード１の額面を更新する。
【００６０】
本実施例２の説明では実施例１との差を明確にするため、販売量換算部３８および残高更新部３９を独立して設け、それぞれの機能動作を説明したが、両者は併合してもよい。更に、両者を価格演算部に内蔵する場合には演算結果を相互利用できるので回路の簡略化が可能である。
【産業上の利用可能性】
【００６１】
税金分を差し引いた商品に値引きを適用する際に、金券の額面金額で税抜き価格を求め、求めた税抜き価格の値引き額を求め、この値引き額を次の購入金額にしてこの税抜き価格を次の税抜き価格として求め、この次の税抜き価格の値引き額を次の値引き額として求め、この手順を繰り返して値引き額が所定の小額、例えば小数点以下を四捨五入して「ゼロ」となすことにより、量売品の値引きの際に金券の額面を容易に使い切ることができるので、金券が通貨そのものであっても、またポイントカードのようなものであっても、金券で額面の金額を使い切る場面またはそのようなシステムに適用可能である。
【図面の簡単な説明】
【００６２】
【図１】本発明による値引率設定の際の金券精算システムにおけるブロックの実施の一形態を示した説明図である。（実施例１）
【図２】図１における主要動作手順の実施の一形態を示したフローチャートである。（実施例１）
【図３】図１とは別の金券精算システムにおけるブロックの実施の一形態を示した説明図である。（実施例２）
【図４】図３における主要動作手順の実施の一形態を示したフローチャートである。（実施例２）
【図５】従来の値引率設定の際の金券精算システムにおけるブロックの一例を示した説明図である。
【図６】図５における主要動作手順の実施の一形態を示したフローチャートである。
【符号の説明】
【００６３】
１    プリペイドカード
２、３    データ処理装置
２１、３１    データ入力部
２２、３２    消費税率格納部
２３、３３    金券収納部
２４、３４    データ読書部
２５、３５    価格演算部
２６、３６    データ表示部
３７    石油税等格納部
３８    販売量換算部
３９    残高更新部
【図１】
2005222196.tif 000003
【図２】
2005222196.tif 000004
【図３】
2005222196.tif 000005
【図４】
2005222196.tif 000006
【図５】
2005222196.tif 000007
【図６】
2005222196.tif 000008